(57)【要約】【課題】簡単な構造で、ＰＴＰシートの収容物を、簡易な操作で取り出すことができる包装体を提供する。【解決手段】収容物を内側に収容した突出部４６ａとフランジ部４６ｂを有するプラスチック成形体４６に、破断可能な蓋材シート５０が貼り付けられ、突出部４６ａの開口部が閉鎖されたＰＴＰシート４４を備える。ＰＴＰシート４４は、台紙１２に取り付けられ、台紙１２は、ＰＴＰシート４４が取り付けられる側面１４と、ＰＴＰシート４４の突出部４６ａを挟んで折り返す折返片３０を備える。側面１４と折返片３０には、折り返した時に互いに一致する折り曲げ線２４，３４を備える。側面１４は、折り曲げ線２４の途中に、ＰＴＰシート４４の突出部４６ａの開口部に対向する透孔５２を形成可能に設けられている。【選択図】図１
2018002171.tif 000002
【特許請求の範囲】
【請求項１】
収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートに取り付けられた台紙から成り、前記台紙には、前記ＰＴＰシートが取り付けられる側面と、前記側面に折罫線で区切られて連続し前記側面に前記ＰＴＰシートの前記突出部を挟んで折り返す折返片が設けられ、前記側面と前記折返片には、折り返した時に互いに一致する折り曲げ線が各々設けられ、前記側面には、前記折り曲げ線の途中に前記ＰＴＰシートの前記突出部の開口部に対向する透孔が設けられ、包装体を開封する時は、前記側面に前記折返片を前記折罫線で折り返し、互いに一致する前記各折り曲げ線を前記側面が凹となり前記折返片が凸となるように折り曲げ、前記収容物が、凸となる前記折返片の前記折り曲げ線に押され、前記蓋材シートを破断して、前記側面の前記透孔を通過して取り出されることを特徴とする包装体。
【請求項２】
前記側面は、前記ＰＴＰシートを挟んだ状態で重ねて保持する第１側面と第２側面が設けられ、前記第１側面と前記第２側面には、互いに重ねられた時に互いに一致する折り曲げ線が各々設けられ、前記第１側面と前記第２側面には、前記各折り曲げ線の途中に前記透孔が各々設けられ、前記第２側面の前記透孔には前記ＰＴＰシートの前記突出部が嵌合されて突出し、前記第１側面の前記透孔は前記ＰＴＰシートに収容された収容物が通過して取り出される請求項１記載の包装体。
【請求項３】
前記折返片は、前記第１側面に連続する第１折返片と、前記第２側面に連続する第２折返片から成り、前記第１折返片と前記第２折返片は、前記第１側面及び前記第２側面の、互いに連接する方向に沿う一方の端縁部に設けられ、前記第１折返片と前記第２折返片の間は、折罫線で区切られて接している請求項１又は２記載の包装体。
【請求項４】
前記側面の前記透孔には、通過して取り出される収容物を保持する抑え片が設けられ、前記抑え片は前記側面に形成された断続する切断線で囲まれて設けられ、前記抑え片が前記収容物に押されて前記切断線が破断されて前記透孔が形成され、前記抑え片は前記切断線の一部が切り残されて片持ち状態となり、前記透孔の外側に位置し、前記透孔を通過した前記収容物を保持する請求項１記載の包装体。
【発明の詳細な説明】
【技術分野】
【０００１】
この発明は、ＰＴＰシートを台紙に取り付けて包装した包装体に関する。
【背景技術】
【０００２】
従来、錠剤やカプセル等の薬剤を収容物とする包装技術としてＰＴＰ（プレススルーパッケージ）シートがある。ＰＴＰシートは、合成樹脂で作られたプラスチック成形体を有し、プラスチック成形体には、薬剤を収容する突出部と、突出部の周縁部に形成されたフランジ部が一体に成形されている。フランジ部の、突出部と反対側の面にアルミ箔などの破断可能な蓋材シートが貼り付けられて突出部が閉鎖され、薬剤を密閉している。また、ＰＴＰシートを紙製等の台紙に取り付けて、取り扱いを容易にするとともに台紙に薬剤についての情報を印刷して、多くの情報を消費者に伝えるものがある。
【０００３】
例えば、特許文献１に開示されている包装体は、ＰＴＰシートの蓋材シート側の面に取り付けられる第１側面と、ＰＴＰシートのプラスチック成形体側の面に取り付けられ第１側面に重ねられ、ＰＴＰシートを第１側面とで挟んで保持する第２側面を備える。第１側面と第２側面には、互いに重ねられた時に互いに一致する折罫線が各々設けられている。第１側面には、折罫線の途中に設けられ折罫線から側方に突出して中央部分で折り返されて再び折罫線に達する切断線を有する。第２側面には、第１側面に重ねられた時に切断線の内側に対向する位置に形成されＰＴＰシートの突出部が嵌合される透孔が設けられている。
【先行技術文献】
【特許文献】
【０００４】
【特許文献１】特開２０１６−１３８３９号公報
【発明の概要】
【発明が解決しようとする課題】
【０００５】
上記背景技術の場合、ＰＴＰシートから錠剤を取り出すときに、第１側面の折罫線を正折りし、同時に第２側面の折罫線が逆折りされ、突出部からの錠剤の押出を容易にするとともに、第１側面の切断線の内側の押さえ片が外側に突出し、開口部に錠剤が露出し取り出しやすいものである。しかし、ＰＴＰシートの突出部が確実に押圧されなかったり、突出部が側方からつぶされて錠剤が突出部内に残ってしまう等の問題がある。
【０００６】
この発明は、上記背景技術の問題点に鑑みてなされたものであり、簡単な構造で、ＰＴＰシートの収容物を、簡単な操作で容易に取り出すことができる包装体を提供することを目的とする。
【課題を解決するための手段】
【０００７】
本発明は、収容物を内側に収容した突出部と前記突出部の周囲に設けられたフランジ部を有するプラスチック成形体に、破断可能な蓋材シートが貼り付けられて前記突出部の開口部が閉鎖されたＰＴＰシートに取り付けられた台紙から成り、前記台紙には、前記ＰＴＰシートに取り付けられる側面と、前記側面に折罫線で区切られて連続し前記側面に前記ＰＴＰシートの前記突出部を挟んで折り返す折返片が設けられ、前記側面と前記折返片には、折り返した時に互いに一致する折り曲げ線が各々設けられ、前記側面には、前記折り曲げ線の途中に前記ＰＴＰシートの前記突出部の開口部に対向する透孔が設けられた包装体である。包装体を開封する時は、前記側面に前記折返片を前記折罫線で折り返し、互いに一致する前記各折り曲げ線を前記側面が凹となり前記折返片が凸となるように折り曲げ、前記収容物が、凸となる前記折返片の前記折り曲げ線に押され、前記蓋材シートを破断して、前記側面の前記透孔を通過して取り出されるものである。
【０００８】
また、前記側面は、前記ＰＴＰシートを挟んだ状態で重ねて保持する第１側面と第２側面が設けられ、前記第１側面と前記第２側面には、互いに重ねられた時に互いに一致する折り曲げ線が各々設けられ、前記第１側面と前記第２側面には、前記各折り曲げ線の途中に前記透孔が各々設けられ、前記第２側面の前記透孔には前記ＰＴＰシートの前記突出部が嵌合されて突出し、前記第１側面の前記透孔は前記ＰＴＰシートに収容された収容物が通過して取り出されるものである。
【０００９】
また、前記折返片は、前記第１側面に連続する第１折返片と、前記第２側面に連続する第２折返片から成り、前記第１折返片と前記第２折返片は、前記第１側面及び前記第２側面の、互いに連接する方向に沿う一方の端縁部に設けられ、前記第１折返片と前記第２折返片の間は、折罫線で区切られて接している。
【００１０】
また、前記側面の前記透孔には、通過して取り出される収容物を保持する抑え片が設けられ、前記抑え片は前記側面に形成された断続する切断線で囲まれて設けられ、前記抑え片が前記収容物に押されて前記切断線が破断されて前記透孔が形成され、前記抑え片は前記切断線の一部が切り残されて片持ち状態となり、前記透孔の外側に位置し、前記透孔を通過した前記収容物を保持するものである。
【発明の効果】
【００１１】
本発明の包装体は、簡単な構造で、ＰＴＰシートの収容物を、簡易な操作で取り出すことができる。弱い力でも確実に収容物を取り出すことができ、手や目が不自由な人も、簡単に使用することができる。
【図面の簡単な説明】
【００１２】
【図１】この発明の第一実施形態の包装体の使用状態を示す斜視図である。
【図２】この発明の第一実施形態の包装体の斜視図である。
【図３】この発明の第一実施形態の包装体の展開図である。
【図４】この発明の第二実施形態の包装体の展開図である。
【発明を実施するための形態】
【００１３】
以下、この発明の実施形態について図面に基づいて説明する。図１〜図３はこの発明の第一実施形態を示すもので、この実施形態の包装体１０は、紙製等のブランクシートを打ち抜いて形成された台紙１２が設けられている。図３は台紙１２を表面から見た展開図である。台紙１２は、第１側面１４と第２側面１６が折罫線１８を介して設けられている。第１側面１４と第２側面１６は同形状であり、この実施形態では、折罫線１８に交差する方向が少し長い矩形である。
【００１４】
第１側面１４の、中心よりも折罫線１８に交差する一方の端縁部１４ａにわずかに近い位置には、環状の切断線２０が設けられている。切断線２０の形状は、折罫線１８側は、折罫線１８に対して平行な直線部２０ａであり、折罫線１８と反対側の端縁部１４ｂ側は、端縁部１４ｂに向かって膨出する円弧部２０ｂであり、全体として長丸を半分に分割したような形状である。切断線２０は、途中の数か所に切り残された連結部が設けられ、切断線２０の内側が抜け落ちないように保持されている。円弧部２０ｂに設けられた連結部は強い力を加えると破断可能であり、直線部２０ａに設けられた連結部はそれより長く設けられ、破断しにくいものである。切断線２０の内側は、後述する錠剤４８を取り出す時に落下を防ぐ抑え片２２となる。
【００１５】
第１側面１４の中心には、折罫線１８に対して平行な折り曲げ線２４が設けられている。折り曲げ線２４は、一方の端部は端縁部１４ａに連通し、他方の端部は端縁部１４ａに対して平行な端縁部１４ｃから少し離れた位置に達している。折り曲げ線２４は、途中で抑え片２２に重なり、抑え片２２に重なる部分は途切れている。
【００１６】
第２側面１６には、折罫線１８で第１側面１４に折り重ねた時に抑え片２２に対向する位置に、透孔２６が設けられている。透孔２６は正円であり、環状の切断線２０の内側に位置する大きさである。また、折り曲げ線２４に対向する位置に折り曲げ線２４と同じ長さの折り曲げ線２８が設けられ、折り曲げ線２８は途中で透孔２６に重なっている。
【００１７】
第１側面１４の端縁部１４ｃには、第１折返片３０が折罫線３２を介して設けられている。第１折返片３０は、折罫線３２と平行な幅は第１側面１４と同じ長さであり、それと直交する長さは、第１側面１４よりも短い矩形である。第１折返片３０の中心には、折り曲げ線２４の延長線上に、折り曲げ線３４が設けられている。折り曲げ線３４は、２本の切断線が互いに離間して一直線上に並んで形成され、折罫線３２と、折罫線３２に対して平行な端縁部３０ａには達しておらず、所定の間隔を開けて形成されている。
【００１８】
第２側面１６の、端縁部１６ａに対して平行な端縁部１６ｃには、第１折返片３０と同形の第２折返片３６が折罫線３８を介して設けられている。第２折返片３６は、折罫線１８の延長線上で第１折返片３０と接し、折罫線１８の延長線上に位置する折罫線４０で区切られている。第２折返片３６の中心には、折り曲げ線２８の延長線上に、折り曲げ線４２が設けられている。折り曲げ線４２は、折り曲げ線３４と同様に、２本の切断線が互いに離間して一直線上に並んで形成され、折罫線３８と、折罫線３８に対して平行な端縁部３６ａには達しておらず、所定の間隔を開けて形成されている。
【００１９】
各折罫線には、折りやすくするために切断線が設けられてもよい。また、各側面と各折り返し片の表面には、後述する錠剤４８についての情報が印刷されている。
【００２０】
ここで、包装体１０に収容するＰＴＰシート４４について説明する。ＰＴＰシート４４は、プラスチック成形体４６が設けられ、プラスチック成形体４６には、収容物である錠剤４８を収容する突出部４６ａと、突出部４６ａの周縁部のフランジ部４６ｂが設けられている。ここでは、１個の突出部４６ａがフランジ部４６ｂの中心に設けられたものである。プラスチック成形体４６のフランジ部４６ｂには、突出部４６ａの突出方向と反対の面に薄いアルミ製の蓋材シート５０が貼り付けられ、突出部４６ａが閉鎖されている。
【００２１】
次に、包装体１０の組立方法について説明する。ここでは図３が台紙１２の表面を見たものであり、表面が凸になる折り方を正折り、そして裏面が凸になる折り方を逆折りと称する。まず、第２側面１６の裏面に、ＰＴＰシート４４のプラスチック成形体４６側の面を重ねて取り付ける。この時、透孔２６にＰＴＰシート４４の突出部４６ａを差し込む。そして、第１側面１４または第２側面１６の裏面の任意の位置に糊を塗布する。例えば、ＰＴＰシート４４の周囲を囲む位置である。そして、第１折返片３０または第２折返片３６の裏面の任意の位置に糊を塗布する。例えば、端縁部３０ａ，３６ａ近傍で、端縁部３０ａ，３６ａに沿う直線である。そして、折罫線１８，４０を正折りして、第１側面１４の裏面にＰＴＰシート４４を挟みながら第２側面１６を糊付けし、同時に第２折返片３６の裏面に第１折返片３０を糊付けする。これにより台紙１２は図２に示すように畳み状態となり、ＰＴＰシート４４を保持した状態となる。ＰＴＰシート４４の、プラスチック成形体４６の突出部４６ａの裏面には抑え片２２が位置し、折り曲げ線２４，２８と、折り曲げ線３４，４２は、互いに一致する。これでＰＴＰシート４４の、台紙１２の取り付けが完了し、包装体１０により包装される。
【００２２】
包装体１０から錠剤４８を取り出す時は、折罫線３８を逆折りして、第２折返片３６を第２側面１６に折り返す。この時、第２折返片３６に糊付けされている第１折返片３０も、折罫線３２で正折りされる。次に、第２側面１６の折り曲げ線２８を徐々に逆折りして第２側面１６を二つ折りにする。この時、第２側面１６に糊付けされている第１側面１４も、折り曲げ線２４で正折りされる。また、折り返された第２折返片３６は折り曲げ線４２で正折りされ、第１折返片３０は折り曲げ線３４で逆折りされ、図１に示すように、四つ折りとなる。第２側面１６の折り曲げ線２８を逆折りする操作は、第１側面１４の折罫線１８と、端縁部１４ｂを、片手で保持して摘まんで近づけることで行うことができる。
【００２３】
以上の操作で、第２側面１６は折り曲げ線２８で凹となり、第２折返片３６は折り曲げ線４２で凸となり、第２側面１６の透孔２６に位置するＰＴＰシート４４の突出部４６ａは、第２折返片３６の凸となった折り曲げ線４２が当接し、押し込まれる。これにより、ＰＴＰシート４４の突出部４６ａが押し込まれ、錠剤４８が第１側面１４の抑え片２２に押し付けられ、切断線２０の円弧部２０ｂの連結部が破断する。切断線２０の直線部２０ａの連結部は切り残されて抑え片２２が片持ち状態となり、第１側面１４の折罫線１８側の面と面一になって外側に突出し、第１側面１４に透孔５２が形成される。ＰＴＰシート４４の蓋材シート５０は透孔５２に露出し、錠剤４８に押されて破断され、開口して、収容していた錠剤４８が露出する。抑え片２２は透孔５２の外側に傾斜して位置するため、錠剤４８に当接して、落下しないように係止する。さらに、折り曲げ線２８の逆折りの角度を大きくしていくと、折り曲げ線４２が第２側面１６の折り曲げ線２８に一致し、突出部４６ａをつぶし、抑え片２２は広がり、錠剤４８は落下する。落下する時に予め手を包装体１０の下に位置し、受ける。
【００２４】
この実施形態の包装体１０によれば、簡単な構造で、ＰＴＰシート４４に収容された錠剤４８を、簡単な操作で容易に取り出すことができ、弱い力でも確実に錠剤４８を取り出すことができるので、手や目が不自由な人も、簡単に使用することができる。特に、第２側面１６の折り曲げ線２８を凹に折り曲げるだけの簡単な工程で、第２折返片３６を折り曲げ線４２で凸に折り曲げることができ、凸となった折り曲げ線４２で錠剤４８を確実に押して取り出すことができる。ＰＴＰシート４４の突出部４６ａを押すために突出部４６ａの位置を探すことが不要であり、誰にでも簡単に突出部４６ａを押して錠剤４８を取り出すことができる。折り曲げ線２８は、弱い力で折り曲げることができ、折り曲げ線２８を折り曲げると折り曲げ線４２が強い力で錠剤４８を押し、確実に切断線２０を破断して透孔５２が形成され取り出すことができる。折り曲げ線２８を逆折りする操作は、片手で行うことができ、操作性が良い。錠剤４８は抑え片２２に保持されてすぐには落下せず、落下させる時に予め手を包装体１０の下に位置することができ、紛失を防ぎ確実に受けることができる。従って、高齢などの理由により小さい錠剤４８を摘まむことが難しい人にも、錠剤４８を簡単に手で受けて服用することができる。切断線２０は、直線部２０ａの連結部が円弧部２０ｂの連結部よりも長くて破断しにくいため、円弧部２０ｂか破断され直線部２０ａは連結した状態を維持し、抑え片２２は確実に片持ち状態となり、確実に錠剤４８を保持することができる。その他、台紙１２の表面に、錠剤４８についての情報を印刷することができ、使用者に情報を伝えることができる。包装体１０は小さいため、携帯しやすくて便利である。シンプルな構造であり、自動包装が可能である。
【００２５】
次にこの発明の第二実施形態について図４に基づいて説明する。なお、ここで、上記実施形態と同様の部材は同様の符号を付して説明を省略する。この実施形態の包装体５４は、前記第一実施形態の包装体１０の、抑え片２２が無いものである。抑え片２２の位置、つまり第１側面１４中心よりも折罫線１８に交差する一方の端縁部１４ａにわずかに近い位置に、透孔５６が設けられている。透孔５６は正円であり、透孔２６よりも少し大きい。透孔５６は、ＰＴＰシート４４に収容された錠剤４８が通過して取り出されるものである。
【００２６】
この実施形態の包装体５４の組立方法は、上記実施の形態と同様であり、錠剤４８を取り出す操作も同様である。抑え片２２が無いため、第１側面１４の透孔５６には、ＰＴＰシート４４の蓋材シート５０が露出している。そして、折り曲げ線２８を徐々に逆折りして第１側面１４を二つ折りにすると、ＰＴＰシート４４の突出部４６ａは、第２折返片３６の凸となった折り曲げ線４２が当接し、押し込まれる。さらにＰＴＰシート４４の突出部４６ａが押し込まれると、錠剤４８は蓋材シート５０を破断して透孔５６から落下する。
【００２７】
この実施形態の包装体５４は、上記実施の形態と同様の効果を有するものである。錠剤４８は透孔５６を通過して取り出されるため、より簡単に弱い力で錠剤４８を取り出すことができる。
【００２８】
なお、この発明の包装体は、上記実施形態に限定されるものではなく、台紙の形状や透孔の位置、組立工程、糊の塗付の位置、折り曲げ線の形状等、適宜変更可能である。台紙は裏面に接着剤層と剥離紙が設けられたブランクシートで作られてもよく、熱シール可能な加工を施したものや、熱シール可能な材質の台紙でも良い。収容する錠剤の数は、適宜変更可能である。ＰＴＰシートの突出部の数に合わせて透孔の数を変更して対応することができる。ＰＴＰシートの素材は、いろいろなものに対応することができる。収容される錠剤は、薬剤に限らず他の商品でもよい。
【符号の説明】
【００２９】
１０，５４  包装体
１２  台紙
１４  第１側面
１６  第２側面
１８，３２，３８，４０  折罫線
２０  切断線
２２  抑え片
２４，２８，３４，４２  折り曲げ線
２６，５２，５６  透孔
３０  第１折返片
３６  第２折返片
４４  ＰＴＰシート
４６  プラスチック成形体
４６ａ  突出部
４６ｂ  フランジ部
４８  錠剤
５０  蓋材シート
【図１】
2018002171.tif 000003
【図２】
2018002171.tif 000004
【図３】
2018002171.tif 000005
【図４】
2018002171.tif 000006